(57)【要約】      （修正有）【課題】色に深みが感じられ高級感を醸し出すことができるばかりか、パイルの目が異なる方向のタイルカーペットと隣り合わせた場合であっても、境目がめだたず自然な印象を与えるように施工することができるタイルカーペットを提供する。【解決手段】４色以上の糸から構成された撚り糸を用いて、通常の手法で基布にパイルとして植え付ける。撚り糸が１／１０ゲージの密度で植え込まれているのが好ましい。【選択図】図２
0003224704.tif 000002
【実用新案登録請求の範囲】
【請求項１】
4色以上の糸で構成された撚り糸を用いたパイルを一部に含む、または全部であることを特徴とするタフテッドカーペット。
【請求項２】
4色以上の糸で構成された撚り糸を用いてパイルを一部に含む、または全部であることを特徴とするタイルカーペット。
【請求項３】
請求項2に記載のタイルカーペットであって、撚り糸が1／10ゲージの密度で植え込まれているパイルを有することを特徴とするタイルカーペット。
【考案の詳細な説明】
【技術分野】
【０００１】
本考案は、カーペットに関し、特に、タイルカーペットであって多色の糸を用いたタイルカーペットに関する。
【背景技術】
【０００２】
カーペットは長く人類の生活とともにあったが、近年ではオフィス用途を中心にタイルカーペットという形でさらに身近なものとなっている。
【０００３】
オフィスにおいても従来の灰色一色という保守的なデザインのみならず、柄物や幾何学的な模様が付されたもの、複数色からなるものなど様々なタイルカーペットが用いられており、日夜デザイン開発がなされているのが現状である。
【０００４】
カーペットにおいて柄や模様を表現する手法は複数存在する。カーペットを織りなした後で印刷機で印刷する方法や、異なる色をもつ糸を複数用いてカーペットを織る方法などが代表的であるが、それぞれ別の色の細い糸を複数束ねた撚り糸を用いる方法も多用されてきた。
【０００５】
撚り糸を用いる方法の利点は、複数の色を含んだ撚り糸さえ調達できれば、１本の撚り糸を用いるだけで複数色を用いたカーペットを実現できる点にある。印刷工程や複数糸を使い分ける必要がないため、低コストで幅の広い表現ができる。
【考案の概要】
【考案が解決しようとする課題】
【０００６】
だが、従来のカーペット、特にタイルカーペットでは３色の糸から構成された撚り糸までは用いられていたものの、４色以上の糸から構成された撚り糸を用いることはなかった。
【０００７】
これには様々な理由がある。まず、３色の糸を用いた場合、それぞれの糸の割合に応じて中間色も表現されることから、見た目では３色以上の色を感知することとなる。そのため、３色も使えば十分であるという、製作者側のある意味勝手な自己満足からくる自己規制が強く働いていた。
【０００８】
さらに、３色以上の糸を用いた撚り糸を製造するにあたって、どうしても一定以上の太さとなってしまう。この太さでは、1／１０ゲージのカーペットに用いるには太すぎるのではないかという懸念があった。
【課題を解決するための手段】
【０００９】
本考案では、４色の糸から構成された撚り糸をパイルとしたカーペットを提供する。
【考案の効果】
【００１０】
本考案のカーペットでは、４色の糸から構成された撚り糸を用いてパイルを織りなすことで、これまでにない深みのある色合いを低コストで実現することができた。なお、これまで懸念されていた撚り糸が太すぎるということはなく、１０ゲージのカーペットに求められる数のパイルを製造することができた。
【００１１】
予期しなかった効果として、カーペットを複数並べた際のカーペットとカーペットの境界が目立ちにくくなった。カーペットの表面を構成するパイル部分はプレスを行うため、カーペットのパイル部分が垂直方向を向くことはなく、上下左右のいずれかに倒れる。この倒れ方が反対同士のカーペットを隣接させると、パイルとパイルが逆側へ倒れることから、カーペット同士の境界が目立つ場合があり、これをねじつきという。
【００１２】
本考案が提供する４色以上の糸で構成された撚り糸をパイルとして用いることで、これまでよりも糸の太さが一定程度太くなり、パイル自体に一定の厚みがでてくる。この厚みがうまく作用してパイルの倒れ方が逆であっても境界が目立たなくなる効果を得ることができた。
【００１３】
また、4色以上の糸を用いることから、カーペットとした際に非常に多くの色彩が目に触れることになる。そのため、カーペットとカーペットの境界部分の色あいも当該多くの色彩に紛れてしまい、ほとんど目立たなくなった。
【図面の簡単な説明】
【００１４】
【図１】本考案の撚り糸を用いたカーペットを示した図
【図２】本考案の撚り糸を用いたカーペットの一部を拡大した状態を示した図
【考案を実施するための形態】
【００１５】
以下、本考案の実施の形態について、添付図面を参照しながら説明する。
【００１６】
図１は、４色の糸から構成された撚り糸を用いたタイルカーペット１を写した写真図である。図２は図１に示したタイルカーペットの一部を拡大した図である。撚り糸とは、複数の糸を束ねて撚ることで、１本の糸として利用可能としたものであり、本考案では４色以上の糸を束ねた撚り糸を用いる。材料となる糸を増やせば増やすほど、撚り糸とした際に太くなる。
【００１７】
撚り糸は様々な製法で製造されているが、どのような手法を用いても本考案のカーペットに用いることができる。例えば、複数の糸を空気の力で1本の撚り糸へと加工するインターミングル加工などが挙げられる。他にも、ケーブルツイスターによる上下総数撚糸である諸撚加工や、リング撚糸機を用いるリング撚糸加工などで製造された撚り糸も本考案に用いることができる。
【００１８】
撚り糸には、１メートルあたり、何回糸を回転させるか（撚りをかける回数）や、撚り糸を複数もちよった上でさらに撚りをかけることなど、様々な撚り方がある。撚り方を変化させることで、その糸自体の風合いや肌触り、踏んだ際の感触が変化する。本考案では、どのような撚りの回数であってもよく、甘撚、中撚、強撚、極強撚のいずれでも採用することができる。
【００１９】
撚り姿についてもどのようなものでもよく、１本以上の糸を引き揃えて右撚または左撚をかける片撚糸、片撚糸を２本以上引き揃えてさらに反対方向へ撚りをかける諸撚糸や駒撚糸、片撚りした太い糸と撚りをかけていない細い糸を引き揃えて片撚りした太い糸とは反対側へ撚りをかけた壁撚糸など、どのような糸であっても採用できる。
【００２０】
通常のカーペット、例えばウィルトン織やジャガード織では、パイル糸に加えて地経糸・覆経・緯糸の4種の糸でカーペットの生地部分も織りなしていく。これに対して、タイルカーペットを中心に現在の主流となっているタフテッドカーペットは、既に完成している基布と呼ばれる生地に、多数のミシン針で刺繍をつくっていくかのようにパイルを植え付けることを特徴とする。ウィルトン織などと比べて３０倍程度のスピードで生産することができる上に、コンピューター処理で柄や色合いを制御できるため、現在の主流となっている。
【００２１】
タフテッドの手法では基布にパイルを植え付けていくことから、太い糸を用いた場合、十分に植え込むことができないという懸念があった。この懸念から、２色の糸から構成された撚り糸、多くとも３色の糸から構成された撚り糸までが用いられており、４色以上の糸から構成された撚り糸が用いられることはなかった。
【００２２】
一般に、撚り糸を構成した場合、表面に現れる糸の割合によって、２色の間でグラデーションが表現される。すなわち２色の糸を用いた場合であっても２色のみならず、複数の色合いの糸として認識される。そのため、通常は２色、多くとも３色の糸から構成された撚り糸であれば必要十分であるというのが業界で共有している認識であった。
【００２３】
４色以上の糸を用いた撚り糸それ自体は、撚糸業、仮撚業を営む各メーカーが既に製造しており、これ自体は公知である。しかしながら、上記２つの理由から４色を超える糸から構成された撚り糸をタフテッドカーペットに用いられることはなかった。
【００２４】
本考案者が、この業界常識を打ち破り、４色、５色から構成された撚り糸を用いてタフテッドカーペットを試作したところ、これまでにない表現が可能であることがわかった。
【００２５】
すなわち、３色以下の撚り糸では得られなかった４色が混じり合った深い色合いをもつタフテッドカーペットが実現した。特に、コスト面での制約から巻物のカーペットと比べデザインに制限のあるタイルカーペットであっても、斬新な風合い、色合いを提供することができた。
【００２６】
４色以上の糸から構成された撚り糸は３色以下のものと比べて太さが増すのだが、タイルカーペットでも高密度とされている1／１０ゲージであっても十分パイルとして基布に植え付けられることが確認できた。なお、ステッチについても6ステッチ以上の高密度なパイルを実現している。
【００２７】
なお、ゲージとは、1インチ（2.54cm）中の横方向のパイル密度（針の本数）を表している。「1/10ゲージ」は「1インチ中に10本のパイルがある」、「1/8ゲージ」は「1インチ中に8本のパイルがある」と呼ばれるため、数字がこまかいほど密度が高くなる。なお、タフテッドカーペットでは針の本数を表すため「ゲージ」で表すが、ウイルトン・アキスミンスター織では「羽」で表す。また、ステッチは1インチ中の縦方向のパイル密度（針の本数）をあらわしている。「10ステッチ」は「1インチ中に10本のパイルがある」、「8ステッチ」は「1インチ中に8本のパイルがある」ことを示すため、こちらも数字が大きいほど密度が高くなる。
【００２８】
追加の効果として、タイルカーペット１とタイルカーペット１の境界が目立たなくなる効果があることも判明した。通常のカーペットとの異なり、タイルカーペットは一定領域内に複数のタイルカーペットを敷き詰める方法で用いられる。そのため、タイルカーペットとタイルカーペットの境界を目立たなくすることが求められる。
【００２９】
ところで、タフテッドカーペット、特にタイルカーペットでは、その製造工程においてプレスを行う。そのため、パイルが基布に対して完全に垂直に植え付けられるのではなく、上下左右のいずれかの方向にむかって少し倒れた状態となる。
【００３０】
この倒れる方向の組み合わせ、例えばタイルカーペットの境界から中央部分に向かって倒れた状態となっている辺と、同様の辺を並べた場合などでは、境界部分が目立つことが避けられない。
【００３１】
本考案の４色以上の糸から構成された撚り糸を用いることで、パイルが少し太くなることから、この倒れ方が緩やかとなる。すなわち、あまりパイルが寝ずに垂直に近い状態を保つことができる。そのため、パイルが違いに異なる方向に倒れている辺と辺を並べた場合であっても、境界が目立ちにくくなった。
【００３２】
また、4色以上の撚り糸は、拡大して目を凝らしてみると4つの糸をそれぞれはっきりと視認できるものの、カーペットとした場合は目元から一定以上の距離を経て視認することとなる。そのため、4つの色がまじりあう比率に応じて、4つの色の間のグラデーションを構成する非常に多くの色が目に飛び込んでくる。そのため、辺と辺の境界部分の色合いも、当該多くの色にまぎれてしまう。
【００３３】
タイルカーペットの施工において、問題となるのが、辺と辺の間が目立ってしまうことによるクレームである。本考案のタイルカーペットはこのクレームを上記2つの効果から、大幅に削減することができるため、熟練技術者でなくとも一定品質を保った設置が可能となる。
【００３４】
タイルカーペットは、土足で踏み鳴らされることが多く、そのため必然的に泥や埃などで汚れていく。本考案の4色以上の撚り糸を用いたタイルカーペット１では、非常にたくさんの色合いを有しているため、汚れの色が当該色合いに紛れて従来のタイルカーペットと比べて汚れが目立たない効果を発揮する。
【００３５】
本考案のカーペットは、パイルのすべてを４色以上の撚り糸とした場合に大きな効果を発揮するが、その一部の領域のパイルのみを４色以上の撚り糸で構成し、残余については従来の３色以下の撚り糸を始めとした従来の糸（撚り糸でないものも含む）を併用した場合であっても、当該一部の領域については従来にない効果を発揮することから、カーペット全体としても斬新な効果を十分与えることができる。
【００３６】
以上、本考案の実施形態について説明したが、本考案の実施形態の一部または全部は、以下の付記のように記載される。
［付記１］
4色以上の糸で構成された撚り糸を用いたパイルを一部に含む、または全部であることを特徴とするタフテッドカーペット。
［付記２］
4色以上の糸で構成された撚り糸を用いてパイルを一部に含む、または全部であることを特徴とするタイルカーペット。
［付記３］
付記2に記載のタイルカーペットであって、撚り糸が1／10ゲージの密度で植え込まれているパイルを有することを特徴とするタイルカーペット。
【符号の説明】
【００３７】
１  ４色以上の撚り糸を一部に用いたタイルカーペット
【図１】
0003224704.tif 000003
【図２】
0003224704.tif 000004